(57)【要約】【課題】  従来のコネクタ類に於ける端子の取付構造に起因する問題点を解消して、コネクタ類の小型化を図ること。【解決手段】  帯状のコンタクト部１の先端からその幅を下回る幅の結合片２を延長し、その結合片２をコンタクト部１の裏面側にこれと平行になるように折り返し、更にその結合片２の先端から、その幅を越える両側の部位を係止部４ａ、４ａとすべくコンタクト部１と同幅まで拡幅した係止片４を延長し、この係止片４の両側の係止部４ａ、４ａを、ハウジング９の端子取付部８の端子装入方向に沿って形成した係止溝７に挿入することにより、そのコンタクト部１を備えた端子をハウジング９に取り付ける。【選択図】  図３
2006294307.tif 000002
【特許請求の範囲】
【請求項１】
コンタクト部（１）と、該コンタクト部（１）の先端からその幅を下回る幅で折り返した結合片（２）と、該結合片（２）の先端から該コンタクト部（１）と平行に延長した係止片（４）であって、その両側に該コンタクト部（１）と同幅以下まで拡幅した係止部（４ａ、４ａ）を備えた係止片（４）とでコネクタ端子を構成し、
該コネクタ端子を、その係止片（４）の両側の係止部（４ａ、４ａ）をハウジング（９）の端子取付部（８）の端子挿入方向に沿って形成した係止溝（７）に挿入することによりハウジング（９）に取り付けるようにしたコネクタ端子のハウジングへの取付構造。
【発明の詳細な説明】
【技術分野】
【０００１】
本発明は、電源電流やオーディオ信号或いはビデオ信号等の授受に用いられるコネクタ端子のハウジングへの取付構造、特にそのコンタクト部の取付構造に特徴を有するコネクタ端子のハウジングへの取付構造に関するものである。
【背景技術】
【０００２】
従来、この種のコネクタ端子をハウジングに取り付けるための取付構造には二つのタイプがある。
【０００３】
その一は、端子のコンタクト部の幅を必要接触面の幅より広く構成し、両側に拡張した部位を係止部として用い、その両側の係止部を、各々ハウジングの該当する部位に形成した二つの係止溝に挿入することにより、該ハウジングに取り付けるように構成したものである。
【０００４】
その二は、端子のコンタクト部の幅は必要接触面の幅に維持し、その先端から長さ方向に延長し、該延長部位を係止部として用い、この係止部をハウジングの該当する部位に形成した係止溝に挿入することにより、該ハウジングに取り付けるように構成したものである。
【０００５】
前記その一の場合は、コンタクト部の幅が両側に形成する係止部の分だけ拡張することとなるため、端子を取り付けるハウジングの低背化や狭幅化が困難となり、そのためそれらによって構成されるコネクタも同様となる。前記その二の場合は、コンタクト部の長さが長くなるためこれを取り付けるハウジングの対応する寸法も長くなり、小型化に対応し難い。そのためこれらによって構成されるコネクタも同様に小型化が困難となる。
【０００６】
特許文献１は、接触バネ本体の両側を拡張してそれぞれを係止部とし、この部位をハウジングの対応する部位に構成した係止溝に挿入して固定するようにしたものであり、前記その一の従来例と同一ではないが、近似する考えで構成されたものである。
【０００７】
【特許文献１】実開平０６−３６２５６号公報（図３（ハ））
【発明の開示】
【発明が解決しようとする課題】
【０００８】
本発明は、コネクタ類の小型化を図ること、特に、従来のコネクタ類に於ける端子の取付構造に起因する問題点を解消して、その小型化を図ることを解決の課題とするものである。
【課題を解決するための手段】
【０００９】
本発明は、コンタクト部と、該コンタクト部の先端からその幅を下回る幅で折り返した結合片と、該結合片の先端から該コンタクト部と平行に延長した係止片であって、その両側に該コンタクト部と同幅以下まで拡幅した係止部を備えた係止片とでコネクタ端子を構成し、
該コネクタ端子を、その係止片の両側の係止部をハウジングの端子取付部の端子挿入方向に沿って形成した係止溝に挿入することによりハウジングに取り付けるようにしたコネクタ端子のハウジングへの取付構造である。
【発明の効果】
【００１０】
本発明のコネクタ端子のハウジングへの取付構造によれば、端子のコンタクト部の幅はその接触相手方である他のコンタクト部との接触に必要な幅に構成すれば十分であり、それ以上の幅にする必要はない。そのためこの面からの大型化を避けることができる。また端子のコンタクト部前端から延長する結合片の延長方向の長さは、該コンタクト部の裏面側、即ち、その接触面の裏面側に該結合片を折り返すために必要な長さ以上には必要がないため、その面でも大型化を避けることができる。
【００１１】
前記係止片は、前記結合片の幅を前記コンタクト部の幅より狭く構成したため、その幅を越える両側の部位を係止部とすることが可能となり、それ故、該コンタクト部以下の幅の範囲内で、コネクタ端子とハウジングとの取り付けが行い得られ、装置の大型化を回避することができることとなったものである。
【発明を実施するための最良の形態】
【００１２】
本発明のコネクタ端子のハウジングへの取付構造は、基本的に、コンタクト部と、その先端からその幅を下回る幅で折り返した結合片と、該結合片の先端から該コンタクト部に対して平行に延長した係止片とでコネクタ端子を構成し、該コネクタ端子を、その係止片の両側の係止部をハウジングの端子取付部の係止溝に挿入することによりハウジングに取り付けるようにしたものである。
【００１３】
前記端子は、各種のジャックやプラグ等を含むコネクタ類に使用されるそれの全てを対象とする。また該端子は、オーディオ信号やビデオ信号の授受、或いは電源の授受のために使用されるものであり、少なくとも、これを備えたコネクタを他のコネクタと接続した場合に、他のコネクタのコンタクト部と直接接触してオーディオ信号や電源の授受を行うコンタクト部と、他の電気・電子デバイス又は回路と接続するための端子部と、これと共にコネクタを構成するハウジングに取り付けるための取付部（係止片等）とで構成されるものである。当然、導電性の素材で構成されるものである。
【００１４】
前記コンタクト部は、本発明では、基部からストレートに延長した帯状のそれが対象である。接続対象である他のコネクタとの接続動作が該コンタクト部の接触面の長さ方向に平行に動く動作で行われ、その動作によって、該他のコネクタのコンタクト部が、該コンタクト部にその所定の部位まで弾力的に接触しながらスライド移動する構成で使用されるものである。
【００１５】
前記結合片及び前記係止片は、前記コンタクト部を含む端子と一体に構成すべきものである。結合片は、該コンタクト部の先端にこれを介して係止片を結合する手段であり、該コンタクト部の先端方向への延長量をできるだけ短くしながらその裏面側、即ち、コンタクト部の接触面の裏面側に折り返し、その先端から該係止片を該コンタクト部と平行に延長するための帯状の手段である。
【００１６】
前記係止片は、該コンタクト部の裏面側に位置して、該コンタクト部をハウジングに固定するための手段の一つであり、これを構成要素とするコネクタの大型化を回避する趣旨から、該コンタクト部の幅を越えない幅寸法に構成すべきものである。該係止片は、前記のように、その両側の係止部を前記ハウジングの係止溝に挿入することでそれに取り付けるものであり、該係止部は、前記結合片の幅を越える両側への張り出し部分である。従って該結合片は、その幅がコンタクト部の幅を下回ることが重要な要件であり、その幅は、該係止部の必要幅を考慮して決定すべきものである。また該結合片は、前記コンタクト部の先端中央から延長する構成とするのが、係止片の両側の係止部の幅を一定にする趣旨からは好ましい。
【００１７】
前記端子部は、前記のように、他の電気・電子デバイス又は回路と接続するための手段であり、取付対象の機器の基板等の構成に応じた構成とすべきものである。前記基部を介してコンタクト部や、あり得る他のハウジングへの固定手段と一体に構成されるものである。
【００１８】
前記ハウジングは、前記端子の外、これに取り付けるべき部材の取付用の構成及びこれ自体を取付対象の機器の基板等に取り付けるための構成要素を備えた部材であり、絶縁性の素材で構成したものである。
【００１９】
該ハウジングの端子取付部は、前記のように、係止溝を備え、該係止溝に、コンタクト部に構成した係止片の係止部を挿入することで、それを一部とする端子を取り付けることができる構成であれば、特定の構成に限定されないが、当然、小型化の観点を考慮すべきものである。
【００２０】
通常、該端子取付部は、該ハウジングの背面側に開口する取付穴に構成し、端子は、これをその取付穴に挿入することで取り付けられるように構成するのが好ましい。該取付穴にはその挿入方向に沿って前記係止溝を構成しておき、該端子を該取付穴に挿入すると、そのコンタクト部に構成した係止片の係止部が該係止溝に自ずと挿入されるように構成しておくのが適当である。なお、この場合は、例えば、他のコネクタがプラグであると仮定すると、そのプラグの挿入口を該ハウジングの取付穴に平行で且つこれに接する部位に構成し、該取付穴に配した端子のコンタクト部が該挿入口の側部に沿って配される位置関係となるように構成すべきである。
【００２１】
従って本発明のコネクタ端子のハウジングへの取付構造によれば、前記のように、端子のコンタクト部の幅はその接触相手方である他のコネクタのコンタクト部との接触に必要な最小限の幅に構成するものであり、それ以上の幅にする必要はないので、この面からこれを用いたコネクタの大型化を回避することができる。
【００２２】
また端子のコンタクト部の先端から延長する結合片は、その前方への長さについて、該コンタクト部の先端から延長したそれを裏面側に折り返すために必要な長さだけ必要とするに過ぎない。そのため該コンタクト部の先端からその延長方向に伸びる長さは必要最小限度であり、その面でもこれを用いたコネクタの大型化を回避できることになる。
【００２３】
前記係止片は、前記結合片の幅を前記コンタクト部の幅より狭く構成したことから、その幅を越える両側の部位を係止部とすることが可能となり、そのため、該コンタクト部の幅以下の幅の範囲内で、コネクタ端子のハウジングへの取り付けが行い得られ、これを用いたコネクタの大型化を回避することができる。
【実施例】
【００２４】
この実施例は本発明を電源授受用のジャックに適用した例であり、該ジャックの左右両側及び下方の端子とハウジングとの取付構造に適用しているものである。
【００２５】
この実施例のコネクタ端子のハウジングへの取付構造は、図１(a)〜(d)、図２、図３及び図４に示すように、コンタクト部１と、該コンタクト部１の先端からその裏面側に折り返す結合片２と、該結合片２の先端から該コンタクト部１と平行に且つ後記基部３側に延長した係止片４と、該係止片４の両側から該コンタクト部１と同幅まで拡幅して形成した係止部４ａ、４ａと、該コンタクト部１をこれから延長した基部３と、該基部３から更に延長した端子部５とで構成した端子、及び該端子をその係止片４の係止部４ａ、４ａを係止溝７、７等に係止することにより取り付ける端子取付部８を備えたハウジング９で構成するものである。
【００２６】
前記左右両側及び下方の端子はいずれも以上の点では共通であるが、図１(c)、図３及び図４に示すように、ジャックの左右両側に配される相互は、相互が左右対称な構成である点、ジャックの左右両側に配されるそれと下方に配されるそれとは、前者が更に基部３から延長した取付片６を有するが後者は有しない点及び後者の端子部５の延長方向が前者の延長方向と異なる点に、それぞれ違いがある。もっとも本発明の観点からは、それらの違いは本質的ではなく、いずれも先に述べた重要な点で共通であり、基本的には同一構成と見なすことができる。
【００２７】
なお以上の端子は、云うまでもなく、導電性の金属板でその構成要素を一体に構成したものである。
【００２８】
前記コンタクト部１は、図２、図３、図４、図６及び図７に示すように、前記基部３からストレートに延長した帯状の構成要素であり、前記結合片２は、前記のように、該コンタクト部１の先端にこれを介して前記係止片４を結合するための構成要素である。また該結合片２は、該係止片４を、該コンタクト部１に対してその裏面側で平行に配すべくＵ字形に折曲した構成要素であり、必要な強度を保持しつつ、該係止片４の両側の係止部４ａ、４ａのための必要な幅を確保する余地を残した狭幅に構成したものである。当然、該結合片２は、該コンタクト部１の前方への延長寸法をできるだけ短くするようにＵ字形に折曲し、更に前記両側の係止部４ａ、４ａの幅を同一にすることができるように、前記コンタクト部１の先端中央から延長したものである。
【００２９】
前記係止片４は、図２、図３、図４、図６及び図７に示すように、該コンタクト部１の裏面側に位置して、該コンタクト部１をハウジング９に固定する手段の一つであり、前記のように、前記結合片２の先端から該コンタクト部１と平行に、且つ前記基部３側に延長して構成したものである。該係止片４の両側には、前記係止部４ａ、４ａを張り出し構成する。該係止部４ａ、４ａの張り出し幅（拡幅量）は、それぞれ前記結合片２の側部を越え、前記コンタクト部１の側部に一致するまでの幅とする。即ち、該係止片４は、両側の係止部４ａ、４ａを含めて、該コンタクト部１と同幅に構成する。なお前記係止部４ａ、４ａの幅は、以上の通りであるが、同時に前記係止溝７、７に不都合なく挿入係止できる寸法であるように設定する。
【００３０】
前記基部３は、図２、図３、図４、図６及び図７に示すように、前記コンタクト部１の後端から後方に延長した位置関係の構成要素であり、ジャックの両側に配する端子の基部３は、それぞれその中央部に、三方から切り込みを入れ、その内側の部分を該コンタクト部１の接触面側に突出させて係止斜片３ａを構成する。なお該係止斜片３ａは、後ろ向きに切り起こした構成とする。またジャックの中央下部に配する端子の基部３には上記のような係止斜片３ａは構成しない。
【００３１】
前記端子部５は、図１(a)〜(d)、図２、図３、図４、図６及び図７に示すように、前記基部３から延長する帯状の構成要素であるが、その内、ジャックの両側に配する端子のそれは、いずれも該基部３から前記コンタクト部１と直交する方向に延長し、その根本部直後付近で直角に折り曲げたものである。該端子部５は、ジャックの両側で、それぞれ側方に延びるように配されるものであり、両側の端子のそれは相互に対称に構成される。またジャックの中央下部に配する端子の端子部５は、前記基部３から前記コンタクト部１の裏面側に延長し、その根本部直後付近で該コンタクト部１と平行且つ後方に延びるように折り曲げたものである
【００３２】
前記取付片６は、図１(b)及び図６に示すように、ジャックの両側に配する端子にのみ構成したものであり、前記基部３から延長する構成要素である。いずれも該基部３から前記コンタクト部１と直交する方向であって、端子部５の延長方向と反対側に延長し、その根本部直後付近で直角に折り曲げ、その外端に直角三角形状に突出する係止突起６ａを構成したものである。上記直角の折り曲げ方向は前記端子部５と逆方向であり、上記係止突起６ａは、ハウジング９の端子取付部８に端子を取り付けた場合に、抜け止めとなるようにその底辺を設定した三角形の突起とする。前記したように、ジャックの両側に配される端子相互は、前記端子部５及び取付片６を含めて対称形となるように構成される。
【００３３】
前記ハウジング９は、図１(a)〜(d)、図２、図３、図４及び図５に示すように、その中央部に正面に開口するプラグ挿入口１１を備え、該プラグ挿入口１１の両側及び下部に位置し、背面側に開口する端子取付部８、８、８を備え、更に該プラグ挿入口１１の上部にロックバネ取付部１２を備えた絶縁性樹脂製の構成要素である。
【００３４】
前記ハウジング９の両側の端子取付部８、８は左右対称の構成であり、図１(a)、(c)、図２、図３、図４及び図５に示すように、それぞれプラグ挿入口１１に面する側にこれと平行に構成した基部３の挿入保持用の挿入溝８ａと、該基部３から延長するコンタクト部１の裏面側にこれと所定間隔を置いて平行に構成した係止溝７と、取付片６を挿入係止する取付溝１３と、端子部５の根本部及び側方への折曲部の途中までを埋設する埋込溝１４とで構成したものである。
【００３５】
前記挿入溝８ａは、これを通じてコンタクト部１を端子取付部８のプラグ挿入口１１に面する側に挿入する通過溝であり、かつその通過後は、図３及び図５に示し、上記したように、基部３がこれに挿入状態で保持されるように構成するものである。またこのように基部３が挿入保持されたとき、該基部３の中央部に構成した係止斜片３ａが対面するハウジング９の面に突っ張り状態に係止し、抜け止め作用をするように構成してある。前記係止溝７は、このようにして、コンタクト部１を挿入すると、同時に係止片４の係止部４ａ、４ａがそれに挿入し、かつスライドしてその前端手前付近に挿入係止状態となるように構成してあるものである。
【００３６】
前記取付溝１３は、特に図１(c)に示すように、前記基部３の挿入保持用の挿入溝８ａの上部からハウジング９の中央側に向かって折り曲げて形成した溝であり、前記のように、コンタクト部１等を挿入溝８ａ等を通じて挿入すると、該基部３の挿入溝８ａへの挿入と同時に前記取付片６が該取付溝１３に挿入係止されるように構成してある。またこのように挿入係止されると、該取付片６の外端に形成した係止突起６ａは該取付溝１３の対応する面に係止して、該取付片６の抜け止めとして作用するようになっている。
【００３７】
前記埋込溝１４は、前記のように、コンタクト部１、基部３、係止部４ａ、４ａ及び取付片６を端子取付部８に挿入すると、該基部３の挿入溝８ａへの挿入と同時に、端子部５の根本部及び側方への折曲部の途中までがその中に埋設されるように構成する。
【００３８】
前記ハウジング９の下部中央の端子取付部８は、図１(a)、(c)、図２、図３及び図４に示すように、プラグ挿入口１１に面する上面側にこれと平行に構成した基部３の挿入保持用の挿入溝８ａと、該基部３から延長するコンタクト部１の裏面側（下側）にこれと所定間隔を置いて平行に構成した係止溝７と、端子部５の根本部を埋設する埋込凹部１５とで構成したものである。
【００３９】
前記挿入溝８ａは、前記ハウジング９の左右に構成したそれと同様に、これを通じてコンタクト部１を端子取付部８のプラグ挿入口１１に面する側に挿入する通過溝であり、かつその通過後は、図２に示し、上記したように、基部３がこれに挿入状態で保持されるように構成するものである。また、以上のように、挿入溝８ａを通じてコンタクト部１を挿入すると、前記係止溝７は、同時に、これに前記係止片４の係止部４ａ、４ａが挿入することとなり、かつ該係止部４ａ、４ａがその中をスライドしてその前端手前付近に挿入係止状態となるように構成してある。
【００４０】
また以上のように、コンタクト部１、基部３及び端子部５が前記挿入溝８ａ等に挿入係止されると、該端子部５の根本部も埋込凹部１５に埋設状態となるようになっている。
【００４１】
前記ロックバネ取付部１２は、図１(b)、(d)、図２及び図４に示すように、前記ハウジング９の上面及び両側に構成したフレーム取付用凹面１７、該フレーム取付用凹面１７の両側部に構成した掛止部１７ａ及び該ハウジング９の前上部からプラグ挿入口１１内に開口するロックバネ挿入孔１８で構成したものであり、同図に示すように、該ハウジング９のフレーム取付凹面１７にはフレーム１９を被覆状態に取り付け、該フレーム１９に構成したロックバネ２０を該ロックバネ挿入孔１８を通じてプラグ挿入口１１中に臨ませたものである。
【００４２】
なお該フレーム１９を該フレーム取付凹面１７に被覆状態に配すると、その両側の開口部１９ａ、１９ａの下端がそれぞれ前記掛止部１７ａ、１７ａに係止してその被覆状態が固定される。なお又該フレーム１９の両側下部には端子部２１が突出させてあり、これらがハウジング９の両側下部から側方に張り出し状態に配されることになる。
【００４３】
前記ハウジング９は、以上のように構成したものであり、端子取付部８、８、８には、前記したように、対応する端子をその背面側から挿入する。コンタクト部１から挿入し、進入可能なところまで挿入完了させると、図１(a)、(c)、図３、図４及び図５に示すように、ジャック両側の端子については、その係止片４の係止部４ａ、４ａが係止溝７の前端直前に、基部３が挿入溝８ａに、取付片６が取付溝１３に、更に端子部５の根本付近が埋込溝１４に、それぞれ挿入又は埋込状態で係止されることになる。
【００４４】
またジャック下方の端子については、これを下方の端子取付部８にコンタクト部１から挿入し、進入可能なところまで挿入完了させると、図１(a)、(c)、図３、図４及び図５に示すように、その係止片４の係止部４ａ、４ａが係止溝７の前端直前に、基部３が挿入溝８ａに、更に端子部５の根本部が埋込凹部１５に、それぞれ挿入又は埋込状態で係止されることになる。
【００４５】
従って本発明を適用したこの実施例のジャックは、図５に示すように、対応するプラグｐをプラグ挿入口１１に挿入すると、該プラグｐの対応する両側の接片２２、２２が適切に前記両側の端子のコンタクト部１、１に接触し、電気的接続を行うことができる。プラグｐの図示していない他の接片も、同時に下方の端子のコンタクト部１に接触し、同様に電気的接続を行うことができる。また、このとき、前記ロックバネ２０は該プラグｐの上部の対応する部位に係止してその挿入状態をロックする。このようにして、ジャック本来の使用は適切に行うことができる。
【００４６】
またこの実施例のジャックによれば、前記のように、端子のコンタクト部１の幅はその接触相手方であるプラグｐの接片との接触に必要な最小限の幅に構成したものであり、それ以上の幅にしたものではないので、この面から、このジャックは大型化を回避し、最小限度のサイズにすることができたものである。
【００４７】
またコンタクト部１の先端から折り返す結合片２は、該コンタクト部１の先端から前方に延びる長さをその裏側に折り返すために必要な長さに限定したため、コンタクト部１の先端から前方に伸びる長さは必要最小限度となり、その面でもこれを用いたジャックの小型化が図り得たものである。
【００４８】
前記係止片４は、前記結合片２の幅を前記コンタクト部１の幅より狭く構成したことから、その幅を越える両側の部位を係止部４ａ、４ａとすることが可能となり、そのため該コンタクト部１の幅で、コネクタ端子１のハウジングへの取り付けが行い得られ、これを用いたジャックの小型化を実現できたものである。
【図面の簡単な説明】
【００４９】
【図１】(a)は実施例のジャックの正面図、(b)は右側面図、(c)は背面図、(d)は平面図。
【図２】図１(a)のＡ−Ａ線断面図。
【図３】図１(a)のＢ−Ｂ線断面図。
【図４】図１(d)のＣ−Ｃ線断面図。
【図５】実施例のジャックにプラグを挿入した状態の横断面平面図。
【図６】実施例のジャックの右側に配する端子の斜視図。
【図７】実施例のジャックの下部に配する端子の斜視図。
【符号の説明】
【００５０】
１    コンタクト部
２    結合片
３    基部
３ａ  係止斜片
４    係止片
４ａ  係止部
５    端子部
６    取付片
６ａ  係止突起
７    係止溝
８    端子取付部
８ａ  挿入溝
９    ハウジング
１１  プラグ挿入口
１２  ロックバネ取付部
１３  取付溝
１４  埋込溝
１５  埋込凹部
１７  フレーム取付用凹面
１７ａ  掛止部
１８  ロックバネ挿入孔
１９  フレーム
１９ａ  開口部
２０  ロックバネ
２１  フレームの端子部
２２  接片
ｐ    プラグ
【図１】
2006294307.tif 000003
【図２】
2006294307.tif 000004
【図３】
2006294307.tif 000005
【図４】
2006294307.tif 000006
【図５】
2006294307.tif 000007
【図６】
2006294307.tif 000008
【図７】
2006294307.tif 000009